(57)【要約】【課題】喫煙具に灰皿の機能を備えると共に、煙草に容易に火を付けることを可能にする。【解決手段】煙草を差し込む筒部と、該筒部の一端側に設けた灰皿部を備え、上記筒部の上面側に外気取入穴を穿設すると共に、上記筒部もしくは灰皿部の側面あるいは下面にライターを装着し、該ライターの着火部を上記外気取入穴の近傍位置の上記筒部内に位置させると共に該ライターの着火操作部は上記筒部外に位置させ、上記筒部に煙草を差し込んだ状態で着火できる構成としている。【選択図】  図１
2004242572.tif 000002
【特許請求の範囲】
【請求項１】
煙草を差し込む筒部と、該筒部の一端側に設けた灰皿部を一体的に備え、上記筒部の上面側に外気取入穴を穿設すると共に、上記筒部もしくは灰皿部の側面あるいは下面にライターを装着し、該ライターの着火部を上記外気取入穴の近傍位置の上記筒部内に位置させると共に該ライターの着火操作部は上記筒部外に位置させ、上記筒部に煙草を差し込んだ状態で着火可能とし、着火部と灰皿部とを一体的に備えていることを特徴とする喫煙具。
【請求項２】
上記筒部の下部にライターを着脱自在に取り付ける取付部を設け、上記ライター取付部は、上記筒部の下面を窪ませた凹部と、該凹部の両側端より突出させた一対の挟持片とからなり、上記凹部の底面先端側を開口して上記筒部の内部と連通させると共に、該連通位置の上部に上記外気取入穴を設け、
上記ライターの着火部および着火操作部を灰皿部側に向けて横向けに配置し、該ライターの着火部側の上半側部を上記凹部にはめ込むと共に上記着火操作部側の下半側部を上記筒部の下部より突出させ上記挟持片で挟持する構成としている請求項１に記載の喫煙具。
【請求項３】
上記筒部および灰皿部からなる上記喫煙具はパイプ形状とし、上記筒部の一端開口は煙草差込口とすると共に、他端開口は上記灰皿部の内部と連通させ、かつ、上記筒部には長さ方向に間隔をあけて複数の上記外気取入穴を穿設し、上記筒部に煙草を差し込んだ状態で喫煙すると煙草の灰が灰皿部に落下する構成とし、かつ、上記灰皿部の上面開口は蓋により開閉される構成としている請求項１または請求項２に記載の喫煙具。
【請求項４】
砲弾状の外筒と、該外筒の一端開口を貫通する内筒とを備え、上記外筒は、内筒が貫通する基部側と先端部側とに分割して開閉自在にヒンジ結合し、
上記先端部側の上面に着火用の外気取入穴を設けると共に下面側に着火導入穴を設け、これら外気取入穴および着火導入穴とも蓋により開閉自在として、該先端部側を着火部および灰皿部とする一方、上記基部側の内筒および外筒には喫煙用の外気取入穴を設け、
上記基部側の内筒に差し込む煙草の先端を先端部側に位置させて着火し、かつ、基部側部より先端部とを開いて灰および吸い殻を廃棄できる構成としている喫煙具。
【請求項５】
内筒と外筒とを伸縮自在に重ね合わせ、全体としてリップスティック状の外形を呈し、上記外筒の先端面は蓋で開閉すると共に、上面に着火用の外気取入穴、対向する下面に着火導入穴を設け、これら外気取入穴および着火導入穴とも蓋により開閉自在とし、かつ、上記内筒の先端を煙草差込穴とすると共に、該内筒に長さ方向に間隔をあけて喫煙用の外気取入穴を設けていることを特徴とする喫煙具。
【請求項６】
上記筒部の煙草差し込み用の開口端または開口端近傍に、煙草を挟持する可撓性材からなる偏平状円環部材を連結し、煙草差し込み時に該偏平状円環部材の長軸側両端を押さえると円形となって煙草の差し込みが可能となり、押さえを解除すると原状に復元して煙草を挟持できる構成としている請求項１乃至請求項５のいずれか１項に記載の喫煙具。
【請求項７】
上記筒部は剛性材から形成する一方、上記灰皿部は柔軟材から袋状に形成し、上記筒部と灰皿部とは一体あるいは取り外し自在とし、
上記袋状の灰皿部は内面に耐熱材を貼着していると共に、該袋に折り畳み式の蓋カバー部を設け、該蓋カバー部に煙草消火用の構成金属板を貼着している請求項１に記載の喫煙具。
【請求項８】
上記灰皿部の内部に煙草消火部を設けている請求項１乃至請求項６のいずれか１項に記載の喫煙具。
【発明の詳細な説明】
【０００１】
【発明が属する技術分野】
本発明は、喫煙具に関し、詳しくは、灰皿部および着火部を備えた携帯用の喫煙具に関するものである。
【０００２】
【従来の技術】
従来、灰皿のない場所で煙草を吸う場合、灰の落下や吸殻の投げ捨てが頻繁に発生し社会問題となっている。また、風の強い所では喫煙によって生じる灰が飛散し、さらに、歩きながら煙草を吸う場合には他の歩行者に火傷を負わせる危険性もある。このように、屋外で喫煙がされる際には、周りの者が迷惑を被るという問題があり、また、環境的にも良くないという問題がある。
さらに、室外で喫煙する場合、風等により煙草が着火しにくい問題もある。
【０００３】
そこで、特開２００２−３４５４３号において、図１７に示す喫煙具１が提供されている。該喫煙具１は、円筒状のキャップ２に空気流入口３を設けると共に、その一端に開口を設けてパイプ挿入口４とし、煙草Ｔを取り付けたパイプ５をパイプ挿入口４からキャップ２内に挿入し、パイプ５を介して喫煙するものである。
【０００４】
【特許文献１】
特開２００２−３４５４３号公報
【０００５】
【発明が解決しようとする課題】
しかしながら、上記喫煙具１であると、煙草Ｔに火を付けてからキャップ２内に収めなければならないので、着火作業が繁雑であるだけでなく、風雨を受ける場所では、ライターの火が消えてしまい、煙草に火を付けるのが困難であるという問題がある。
また、キャップ２の内部空間はスペースが狭いので、２、３本連続して喫煙することはできても、すぐにキャップ２内に吸殻が溜まってしまい、そのたびに灰皿を探して、この吸殻を処分しなければならないという問題もある。
【０００６】
本発明は上記問題に鑑みてなされたものであり、携帯用の喫煙具に灰皿の機能を備えると共に、室外においても容易に煙草に着火できるようにすることを課題とするものである。
【０００７】
【課題を解決するための手段】
上記課題を解決するため、本発明は、第１に、煙草を差し込む筒部と、該筒部の一端側に設けた灰皿部を備え、上記筒部の上面側に外気取入穴を穿設すると共に、上記筒部もしくは灰皿部の側面あるいは下面にライターを装着し、該ライターの着火部を上記外気取入穴の近傍位置の上記筒部内に位置させると共に該ライターの着火操作部は上記筒部外に位置させ、上記筒部に煙草を差し込んだ状態で着火できる構成としている喫煙具を提供している。
【０００８】
上記構成とすると、煙草を喫煙具の筒部内に差し込んだ状態で、筒部の側面あるいは下面に装着したライターを着火して、煙草に火を付けることができる。上記ライターの着火部は筒部内に位置させて、風雨を受ける場所でもライターの火が消えないようにしているので、煙草に容易に火を付けることができる。また、煙草に火を付けてから喫煙具内に差し込む必要がない。
また、筒部内に煙草を装着したまま喫煙することができるので、煙草の火種が喫煙者自身及び他の者に接触して火傷を負わせる危険性がない。さらに、喫煙により生じる火種や灰は筒部に保持され、火種や灰が落下したり飛散することがないので、周辺の衣類、布団、カーペット等を焦がすおそれがない。筒部内に溜まった灰及び吸殻は、筒部の先端に設けた灰皿部に溜めることができるので、喫煙のたびに灰及び吸殻を廃棄する必要がなく利便性がよい。さらに、灰皿とライターが一体となっているので、別々に携帯し、取り出す必要がないので携帯に適している。
【０００９】
具体的には、上記筒部の下部にライターを着脱自在に取り付ける取付部を設け、上記ライター取付部は、上記筒部の下面を窪ませた凹部と、該凹部の両側端より突出させた一対の挟持片とからなり、上記凹部の底面先端側を開口して上記筒部の内部と連通させると共に、該連通位置の上部に上記外気取入穴を設け、
上記ライターの着火部および着火操作部を灰皿部側に向けて横向けに配置し、該ライターの着火部側の上半側部を上記凹部にはめ込むと共に上記着火操作部側の下半側部を上記筒部の下部より突出させ上記挟持片で挟持する構成とすることが好ましい。
【００１０】
上記構成とすると、ライターの着火部側の上半側部を筒部の凹部にはめ込むと共に、着火操作部側の下半側部を筒部の下部より突出させているので、風雨を受ける場所でもライターの火が消えることがなく、ライターを喫煙具に装着した状態で容易に煙草に火を付けることができる。また、ライター取付部へライターを着脱自在としていると共に、市販のライターを取り付けることができる形状としているため、ライターの交換を容易に行うことができる。
なお、上記のようなライターを着脱自在に取り付けるものに代えて、喫煙具内に初めからライターを組み込んでいるビルトインタイプであってもよい。
上記ライターは電池式もしくはガス式が好ましく、ガス充填式であると、ビルトインタイプであっても、ガスを充填することにより繰り返し喫煙具を使用することができる。
【００１１】
上記筒部および灰皿部からなる上記喫煙具はパイプ形状とし、上記筒部の一端開口は煙草差込口とすると共に、他端開口は上記灰皿部の内部と連通させ、かつ、上記筒部には長さ方向に間隔をあけて複数の上記外気取入穴を穿設し、上記筒部に煙草を差し込んだ状態で喫煙すると煙草の灰が灰皿部に落下する構成とし、かつ、上記灰皿部の上面開口は蓋により開閉される構成とすることが好ましい。
【００１２】
上記構成とすると、筒部に長さ方向に間隔をあけて複数の外気取入穴を穿設しているので、筒部に煙草を差し込んだ状態で喫煙し、煙草が短くなっても、所要箇所の外気取入穴から外気を十分に取り入れて喫煙することができる。また、筒部の内部と灰皿部の内部を連通しているので、喫煙によって生じた煙草の灰をそのまま灰皿部に落下させることができる。さらに、上記喫煙具をパイプ形状としてデザイン性に優れているので、携帯に適している。
【００１３】
本発明は第２に、砲弾状の外筒と、該外筒の一端開口を貫通する内筒とを備え、上記外筒は、内筒が貫通する基部側と先端部側とに分割して開閉自在にヒンジ結合し、
上記先端部側の上面に着火用の外気取入穴を設けると共に下面側に着火導入穴を設け、これら外気取入穴および着火導入穴とも蓋により開閉自在として、該先端部側を着火部および灰皿部とする一方、上記基部側の内筒および外筒には喫煙用の外気取入穴を設け、
上記基部側の内筒に差し込む煙草の先端を先端部側に位置させて着火し、かつ、基部側部より先端部とを開いて灰および吸い殻を廃棄できる構成としている喫煙具を提供している。
【００１４】
上記構成とすると、喫煙具の先端部側に着火導入穴を設けているので、該着火導入穴を通して内筒に差し込んだ煙草に火を付けることができる。また、ライターを取り付けていない分、軽量であり、かつ、スリムでデザイン性に優れているため、携帯品として適している。
上記内筒と外筒との間には耐熱材を充填し、該耐熱材には内筒と外筒との外気取入口とを連通する穴を設けていることが好ましい。
【００１５】
さらに、本発明は第３に、内筒と外筒とを伸縮自在に重ね合わせ、全体としてリップスティック状の外形を呈し、上記外筒の先端面は蓋で開閉すると共に、上面に着火用の外気取入穴、対向する下面に着火導入穴を設け、これら外気取入穴および着火導入穴とも蓋により開閉自在とし、かつ、上記内筒の先端を煙草差込穴とすると共に、該内筒に長さ方向に間隔をあけて喫煙用の外気取入穴を設けていることを特徴とする喫煙具を提供している。
【００１６】
上記構成とすると、内筒と外筒とを伸縮自在に重ね合わせ、使用しないときには、内筒を外筒内に収容することができるので、喫煙具の小型化が可能となり、携帯に便利である。また、煙草よりも一回り大きい程度の細長いリップスティック状であるため、デザインに優れ、携帯品として適している。
なお、外筒の先端に開閉蓋を設け、喫煙時には蓋を閉じて灰を落下させないようにし、灰および吸い殻を捨てる場所で蓋をあけるようにしている。
【００１７】
上記筒部の煙草差し込み用の開口端または開口端近傍に、煙草を挟持する可撓性材からなる偏平状円環部材を連結し、煙草差し込み時に該偏平状円環部材の長軸側両端を押さえると円形となって煙草の差し込みが可能となり、押さえを解除すると原状に復元して煙草を挟持できる構成としていることが好ましい。
【００１８】
上記構成とすると、上記偏平状円環部材を押さえるだけで筒部への煙草の差し込みを容易にすることができ、また、押さえを解除すると偏平状円環部材が原状に復元して短軸側両端で煙草を挟持するので、煙草の抜けを防止することができる。また、一定範囲の煙草の径の差にも対応することができる。
【００１９】
さらに、本発明の喫煙具は、上記たばこ差し込む筒部は剛性材から形成する一方、上記灰皿部は柔軟材から袋状に形成し、上記筒部と灰皿部とは一体あるいは取り外し自在とし、
上記袋状の灰皿部は内面に耐熱材を貼着していると共に、該袋に折り畳み式の蓋カバー部を設け、該蓋カバー部に煙草消火用の構成金属板を貼着してもよい。
この喫煙具は煙草の着火時と吸い殻を捨てる時に灰皿部を利用し、喫煙時には筒部から着火後の煙草を抜き出し、手に煙草を持って喫煙するもので、灰捨て時および吸い殻捨て時に灰皿部を開いて利用するものである。
よって、喫煙時にはポケット等に収容しておけるように、灰皿部は袋状として小型化している。
【００２０】
また、いずれの構成においても、上記灰皿部の内部に、着火している煙草の先端を押し込むと確実に消火できる消火部を設けておくことが好ましい。
この消火部は円錐形状とした筒部や一対のバネ片からなり、灰皿部の内部に一体的に設けている。
【００２１】
【発明の実施の形態】
以下、本発明の実施の形態を図面を参照して説明する。
図１乃至図７は、本発明の第１実施形態を示し、パイプ状の喫煙具１０は、煙草Ｔを差し込む筒部１１の一端に、略球状の灰皿部１２を備えると共に、筒部１１の下面にライター取付部１３を設けている。
喫煙具１０は耐熱性樹脂から形成しているが、金属等の他の素材から形成してもよい。
なお、本実施形態では、筒部１１の灰皿部１２側端部は閉鎖し、筒部１１の下面に設けた着火導入穴１１ｃを介して筒部１１の内部と灰皿部１２の内部とを連通している。
【００２２】
上記筒部１１の灰皿部１２と反対側の端部を開口として、煙草差込口１１ａとして、筒部１１の上面には、筒部１１の長さ方向に間隔をあけて複数の貫通穴を設け、外気取入穴１１ｂとしている。該外気取入穴１１ｂは筒部１１の内部側にいくに従って拡径している。上記外気取入穴１１ｂのうち、最も灰皿部１２に近い位置にある外気取入穴１１ｂ−１を着火用の外気取入穴とし、筒部１１の下面には、上記外気取入穴１１ｂ−１に対向する位置に貫通穴を設け、着火導入穴１１ｃとしている。また、筒部１１の煙草差込口１１ａ近傍に、図４（Ａ）に示す可撓性材からなる偏平状円環部材を取り付けて煙草挟持部１５を設けている。該煙草挟持部１５は水平方向を長軸とし、筒部１１に煙草Ｔを挿入する際には、図４（Ｂ）に示すように、長軸側両側を押さえて円形とし、挿入後には元の偏平状に戻して単軸側で煙草Ｔを挟持している。即ち、長軸側の長さｔ１は煙草Ｔの径よりも長くする一方、単軸側の長さｔ２は煙草Ｔの径よりも短くしている。
上記煙草挟持部１５は可撓性を有する樹脂で成形し、この部分は他の剛性樹脂と２色成形して形成している。なお、該煙草挟持部１５は筒部１１の先端に接着剤で連結して取り付けてもよい。
【００２３】
筒部１１の一端に設けた灰皿部１２は略球状であり、その上部を開口として、該開口を開閉自在な蓋１４により閉鎖している。蓋１４は球形の一部を構成する円弧形状に２分割され、一方の蓋１４の内面にロック爪１４ａを設けると共に、他方の蓋１４の内面に被ロック部１４ｂを設けている。
図５に示すように、上記蓋１４は、それぞれ灰皿１２の内周面に沿ってスライドさせて開閉している。即ち、蓋１４を開けるときには、蓋１４のロック爪１４ａと被ロック部１４ｂのロックを解除して、蓋１４の外側端面１４ｃが灰皿１２の内周面に設けた段部１２ａに当接する位置までそれぞれ外方に向けてスライドする。一方、蓋１４を閉鎖するときには、蓋１４をそれぞれ内方に向けてスライドさせ、ロック爪１４ａと被ロック部１４ｂをロック固定して閉鎖状態を保持している。
【００２４】
また、灰皿部１２の底壁部の内部より短尺な円錐空間を有する筒部を消火部１２ｘとして突出し、煙草Ｔの火を消す時に上記消火部１２ｘに煙草の先端を押し込むことにより確実に火を消せるようにしている。
なお、この消火部１２ｘは必ずしも設けなくともよいと共に、一対の圧接バネ片を突設し、これら圧接バネ片の間に着火部を差し込んで火を消せるようにしてもよい。
【００２５】
筒部１１の下部に設けたライター取付部１３は、図２（Ｃ）に示すように、筒部１１の下面を窪ませた凹部１３ａと、該凹部１３ａの両側端より下方に向けて突出させた一対の挟持片１３ｂを設けている。該挟持片１３ｂの下端部を内側に屈曲させてバネ性を付与し、屈曲側を喫煙具１０に取り付けるライターを挟持するライター挟持部１３ｂ−１としている。
【００２６】
次に、上記喫煙具１０の使用方法について説明する。
まず、図６（Ａ）に示すように、ライター取付部１３にライター２０を予め取り付けている。
煙草喫煙時には、煙草Ｔを筒部１１に差し込む時、煙草挟持部１５の長軸側両側を押さえて円形とし、喫煙具１０の煙草差込口より筒部１１に煙草Ｔを所要位置まで差し込み、煙草Ｔの先端をライター２０の着火部２１の位置まで挿入していく。この状態で煙草挟持部１５より手を放しても、煙草挟持部１５で煙草Ｔが保持される。
次いで、図６（Ｂ）に示すように、ライター２０の着火操作部２２を回転すると、ライター２０の着火部２１から上方に向けて着火され、着火導入穴１１ｃを通して煙草Ｔに火が付けられる。これにより、煙草に着火でき、煙草Ｔを筒部１１に差し込んだ状態のまま喫煙すると、喫煙により生じた灰３０は、図６（Ｃ）に示すように、筒部１１内に溜まるので、灰３０が落下したり飛散することがない。
【００２７】
上記のようにして、１本の煙草Ｔを吸い終わった後、図７（Ｂ）に示すように、筒部１１内に溜まった灰３０は灰皿部１２に廃棄し、吸殻となった煙草Ｔは筒部１１から抜き取って、灰皿部１２の蓋１４をあけて灰皿部１２に廃棄する。
なお、着火導入穴１１ｃを大きくしておくと、吸殻を着火導入穴１１ｃを通して灰皿部１２へと移動させることもできる。
【００２８】
上記方法により喫煙し、灰皿部１２に灰や吸殻が溜まると、蓋１４を開いて、灰皿部１２内の吸殻を所要の廃棄場所に廃棄する。
【００２９】
上記構成とすると、携帯用の喫煙具１０に灰皿部１１およびライター２０を取り付けているため、煙草への着火、喫煙、および灰、吸い殻の収容のすべてを行うことができ、非常に便利である。
また、ライター２０の着火部２１がライター取付部１３の内部に収納されているので、室外で風がある箇所でも喫煙時に着火が容易にできる。また、筒部１１内に煙草Ｔを差し込んだ状態で喫煙することができるので、煙草の火種が喫煙者自身及び他の者に接触して火傷を負わせる危険性がない。さらに、喫煙により生じる火種や灰３０は筒部１１内に溜まっていくので、火種や灰３０が落下したり飛散することがない。筒部１１内に溜まった灰３０及び吸殻は、筒部１１の先端に設けた灰皿１２に溜めることができるので、喫煙のたびに灰３０及び吸殻を廃棄する必要がない。
さらに、本実施形態の喫煙具はパイプ状としているので、デザインに優れ、携帯品として適している。また、喫煙具１０の表面にクリスタル等を付着する、もしくは、モールド成形により取り付けることにより意匠性を高めることができる。
また、上記喫煙具１０をポケットや鞄の中にしまう場合には、灰皿部１２を蓋で閉鎖しておくと、灰皿部１２内の灰や吸殻がこぼれることがない。
【００３０】
図８は、上記第１実施形態の第１変形例を示し、平板からなる円形状の蓋１４’は軸部１４ａ’を中心に左右方向にスライドして灰皿部１２の開口を開閉している。
他の構成は上記第１実施形態と同様のため説明を省略する。
【００３１】
図９は、上記第１実施形態の第２変形例を示し、筒部１１’と灰皿部１２’との間を閉鎖せず連通している。
図９（Ａ）に示すように、上記方法により、筒部１１’に煙草Ｔを差し込み、該煙草Ｔを吸い終わったら、図９（Ｂ）に示すように、次の煙草Ｔ’を吸殻となった煙草Ｔに押し当てながら筒部１１’内に差し込んでいく。そして、図９（Ｃ）に示すように、煙草Ｔ’を所定位置まで挿入すると、煙草Ｔ及び灰３０は灰皿部１２’内に蓄積される。これにより、上記と同様の方法により喫煙具１０’を用いて再び喫煙することができる。
他の構成は上記第１実施形態と同様のため説明を省略する。
【００３２】
図１０は、上記第１実施形態の第３変形例を示し、筒部１１の側面にライター取付部１３を設け、該ライター取付部１３に電池式ライター２０’を取り付けている。該電池式ライター２０’は、着火操作部２２’と該着火操作部２２’の操作により発熱して煙草に着火するヒータ部（着火部）２１’を備え、筒部１１に差し込んだ煙草Ｔの先端部近傍の側面に発熱したヒータ部２１’を当接することにより、煙草Ｔに着火している。
また、電池式ライター２０’のヒータ部２１’を倒立自在に設け、使用時のみ起立させて筒部１１に差し込んだ煙草Ｔの先端部に当接して着火する構成としてもよい。
【００３３】
図１１及び図１２は、本発明の第２実施形態を示し、喫煙具４０は、砲弾形状（葉巻状）の外筒４１と、該外筒４１の一端開口を貫通する内筒４２とを備え、外筒４１と内筒４２の間に断熱材４３を挿入している。
【００３４】
上記外筒４１は内筒４２が貫通する基部４１ａ側と先端部４１ｂ側とを分割面４１ｈにおいて分割し、上面に取り付けた蝶番４４により開閉自在にヒンジ結合し、閉鎖状態では、下面に設けたロック爪４１ｃと被ロック部４１ｄによりロック結合している。上記先端部４１ｂ側の上面に着火用の外気取入穴４１ｅを設け、外筒４１の長さ方向にスライドする蓋４４により開閉自在とすると共に、上記外気取入穴４１ｅに対向する位置の下面に着火導入穴４１ｆを設け、上記第１実施形態の第１変形例の蓋と同様の蓋４５により開閉自在としている。また、基部４１ａ側の上面および内筒４２には長さ方向に間隔をあけて複数の外気取入穴４１ｇ、４２ｇを設けている。
上記外筒４１の基部４１ａと内筒４２とは一体成形してもよいし、別体として外筒４１に内筒４２を貫通させて固着してもよい。
【００３５】
外筒４１に貫通させる内筒４２は、外筒４１の外部に位置させる一端を煙草差込口４２ａの開口端近傍に上記第１実施形態と同様の煙草挟持部４２を設けている。また、内筒４２の上面には、その長さ方向に間隔をあけて複数の外気取入穴４２ｃを設けている。
【００３６】
上記外筒４１と内筒４２の間に介在させる断熱材４３は、その中心に内筒４２を挿通する貫通穴４３ａを設け、この貫通穴４３ａは内筒４２と外筒４１に設けた外気取入穴４１ｇ、４２ｇと連通させている。
【００３７】
上記喫煙具４０の内筒４２に煙草Ｔを差し込み、煙草Ｔの先端を外筒４１の先端部４１ｂ側に位置させて、ライターの火を着火導入穴４１ｆを通して煙草Ｔに火を付けている。
【００３８】
上記構成とすると、喫煙具４０の先端部側に着火導入穴４１ｆを設けているので、該着火導入穴４１ｆを通して内筒４２に差し込んだ煙草Ｔに火を付けることができる。また、ライターを取り付けていない分、軽量であり、かつ、スリムであるので、喫煙しやすい。さらに、灰および吸い殻を外筒４１の先端部４１ｂに溜めておくことができる。この溜まった灰や吸い殻を破棄する場合には先端部４１ｂを基部４１ａより蝶番４４を支点として開き、所要の廃棄場所に廃棄する。
なお、上記外筒４１の基部４１ａと先端部４１ｂとは薄肉ヒンジを介して一体としてもよい。
【００３９】
図１３は、本発明に第３実施形態を示し、リップスティック状の喫煙具６０は、灰皿となる外筒６１と煙草差込部となる内筒６２とを伸縮自在に重ね合わせている。
上記外筒６１の上面には、着火用の外気取入穴６１ａを設け、外筒６１の長さ方向にスライドする蓋６３により開閉自在とすると共に、上記外気取入穴６１ａに対向する位置の下面に着火導入穴６１ｂを設け、上記第１実施形態の第１変形例の蓋と同様の蓋６４により開閉自在としている。また、外筒６１の内筒６２と反対側の端部は開口とし、該開口を蓋６５で開閉している。該蓋６５は、外気取入穴６１ａ上の蓋６３と連動して開閉され、蓋６３をスライドして開けると、それに連動して蓋６５が閉鎖され、逆に蓋６３を閉鎖すると、連動して蓋６５が開けられる。即ち、喫煙時には、外気を取り入れるために蓋６３を開ける。すると、先端の蓋６５が閉鎖されて火種や灰の飛散を防止する。また、灰や吸殻を廃棄する場合には、廃棄口となる先端の蓋６５を開けて、蓋６３は閉鎖している。
【００４０】
上記内筒６２の吸い込み口側には、第１実施形態と同様の煙草挟持部６６を設けている。本実施形態では、煙草挟持部６６を口紅の形状に似せて、その端部を傾斜面としている。内筒６２の上面には、その長さ方向に間隔をあけて複数の外気取入穴６２ａを設けている。
【００４１】
上記内筒６２は、外筒６１の内周面に沿って伸縮自在に取り付けているので伸縮可能であり、使用しないときには、図１３（Ｂ）に示すように内筒６２及び煙草挟持部６６を外筒６１内に収容している。
なお、外筒６１の端部に設けた蓋６５は上記第１実施形態と同様のものとしてもよい。
【００４２】
上記構成とすると、内筒６２と外筒６１とを伸縮自在に重ね合わせ、使用しないときには、内筒６２を外筒６１内に収容することができるので、喫煙具６０の小型化が可能となり、携帯に便利である。また、リップスティック状としているので、デザインに優れ、携帯品として適している。
【００４３】
図１４乃至図１６は、本発明の第４実施形態を示し、喫煙具７０は、煙草Ｔを挿入する筒部７１の一端に袋状の灰皿部７２を備えると共に、筒部７１の下部側にライター取付部７３を設けている。
【００４４】
上記筒部７１は、灰皿部７２と反対側の端部を開口として、煙草差込口７１ａとしている。筒部７１の上面には、筒部７１に煙草Ｔを挿入したときの煙草Ｔの先端部近傍に長穴からなる外気取入穴７１ｂを設けている。また、筒部７１の下面には、筒部７１の長さ方向の略全長に亙って凹部７１ｄを設け、凹部７１ｄの両側からライター挟持用の挟持バネ７１ｅを下方に向けて突出させ、上記凹部７１ｄと挟持バネ７１ｅとでライター取付部７３を形成している。また、筒部７１の下面には、外気取入穴７１ｂに対向する位置に貫通穴を設け、着火部７１ｃとしている。筒部７１の灰皿部７２側の端部を開口として、筒部７１の内部空間と灰皿部７２の内部空間とを連通している。
【００４５】
図１５に示すように、筒部７１の端部に設ける灰皿部は耐熱性を有する布帛から袋部７２から形成している。袋部７２ａの上端縁の一側に開閉自在の蓋７２ｂを設けている。該蓋７２ｂの内面側上端部に突起７２ｃを設ける一方、袋部７２ａの外周面の所要箇所に突起７２ｃを係止する係止穴７２ｄを設けて、上記突起７２ｃを係止穴７２ｄに挿入係止して灰皿７２の閉鎖状態を保持している。
袋部７２ａの内周面にアルミ箔７２ｅを粘着すると共に、蓋７２ｂの内面側にもアルミ板７２ｅを固着して、煙草Ｔの火種のもみ消しを可能としている。
【００４６】
図１６に示すように、筒部７１の下部に設けたライター取付部７３を形成する挟持バネ７１ｅは、可撓性を有する樹脂からなり、２本の挟持バネ７１ｅを所要箇所で内側に向けて屈曲させてライター保持部７１ｅ−１とすると共に、その先端部を外側に向けて屈曲させてライター挿入部７１ｅ−２としている。ライター取付部７３にライターを挿入する際には、ライターを横倒し状態で、ライター挿入部７１ｅ−２から挿入し、挟持バネ７１ｅを外方に撓ませている。ライターの挿入後は、ライターを挟持バネ７１ｅにより両側から挟持すると共に、ライター保持部７１ｅ−１によりライターの抜けを防止している。
【００４７】
本実施形態では、喫煙具７０の筒部７１に煙草Ｔを挿入して、ライターにより煙草Ｔに着火した後、煙草Ｔを筒部７１から抜き出して喫煙し、喫煙によって生じる灰及び吸殻は灰皿７２に廃棄する。
【００４８】
上記構成とすると、喫煙具７０の筒部７１内で煙草Ｔに着火するので風雨を避けて容易に着火することができる。また、携帯灰皿も一体的に設けているので利便性が良い。
なお、筒部の灰皿側の端部を閉鎖して、筒部の内部空間と灰皿の内部空間とを閉鎖してもよい。かつ、本実施形態では筒部と灰皿部とを一体的に連結しているが、取り外し自在となる構成としてもよい。
【００４９】
【発明の効果】
以上の説明より明らかなように、本発明の第１の喫煙具によれば、煙草を喫煙具の筒部内に差し込んだ状態で、筒部の側面あるいは下面に装着したライターを着火して、煙草に火を付けることができる。上記ライターの着火部は筒部内に位置させて、風雨を受ける場所でもライターの火が消えないようにしているので、煙草に容易に火を付けることができる。また、煙草に火を付けてから喫煙具内に差し込む必要がない。
また、筒部内に煙草を装着したまま喫煙することができるので、煙草の火種が喫煙者自身及び他の者に接触して火傷を負わせる危険性がない。さらに、喫煙により生じる火種や灰は筒部内に溜まっていくので、火種や灰が落下したり飛散して、周囲の衣類、布団、カーペット等を焦がすおそれがない。筒部内に溜まった灰及び吸殻は、筒部の先端に設けた灰皿部に溜めることができるので、喫煙のたびに灰及び吸殻を廃棄する必要がなく利便性がよい。
さらに、灰皿とライターが一体となっているので、別々に携帯し、取り出す必要がないので携帯に適している。
【００５０】
また、第２の喫煙具によれば、喫煙具の先端部側に着火導入穴を設けているので、該着火導入穴を通して内筒に差し込んだ煙草に火を付けることができる。また、ライターを取り付けていない分、軽量であり、かつ、スリムであるので、喫煙しやすい。さらに、全体で葉巻状としているので、デザインに優れ、携帯品として適している。
【００５１】
さらに、第３の喫煙具によれば、内筒と外筒とを伸縮自在に重ね合わせ、使用しないときには、内筒を外筒内に収容することができるので、喫煙具の小型化が可能となり、携帯に便利である。また、リップスティック状としているので、デザインに優れ、携帯品として適している。
【図面の簡単な説明】
【図１】本発明の第１実施形態の喫煙具を示す斜視図である。
【図２】喫煙具を示し、（Ａ）は平面図、（Ｂ）は底面図、（Ｃ）はＩ１−Ｉ１線断面図である。
【図３】図２のＩ２−Ｉ２線断面図である。
【図４】煙草挟持部を示し、（Ａ）は自然状態の断面図、（Ｂ）は解除状態の断面図である。
【図５】（Ａ）は灰皿の蓋の閉鎖状態を示す断面図、（Ｂ）は灰皿の蓋を開けた状態を示す断面図である。
【図６】（Ａ）〜（Ｃ）は喫煙具を用いた喫煙方法を示す図面である。
【図７】（Ａ）（Ｂ）は、灰と吸殻の灰皿への廃棄方法を示す図面である。
【図８】（Ａ）（Ｂ）は、第１実施形態の第１変形例を示す図面である。
【図９】（Ａ）〜（Ｃ）は、第１実施形態の第２変形例を示す図面である。
【図１０】第１実施形態の第３変形例を示す図面である。
【図１１】本発明の第２実施形態の喫煙具を示す斜視図である。
【図１２】第２実施形態の喫煙具を示し、（Ａ）は断面図、（Ｂ）は要部拡大底面図である。
【図１３】本発明の第３実施形態の喫煙具を示す斜視図である。
【図１４】本発明の第４実施形態の喫煙具を示す斜視図である。
【図１５】灰皿の斜視図である。
【図１６】筒部の断面図である。
【図１７】従来例を示す図面である。
【符号の説明】
１０、４０、６０、７０  喫煙具
１１、７１  筒部
１１ａ、４１ｆ、６１ｂ、７１ｃ  着火導入穴
１２、７２  灰皿部
１２ｘ      消火部
１３、７３  ライター取付部
１４、７２ｂ  蓋
１５、４２ｂ、６６  煙草挟持部
２０  ライター
３０  灰
４１、６１  外筒
４２、６２  内筒
７１ｅ  挟持バネ
Ｔ  煙草
【図１】
2004242572.tif 000003
【図２】
2004242572.tif 000004
【図３】
2004242572.tif 000005
【図４】
2004242572.tif 000006
【図５】
2004242572.tif 000007
【図６】
2004242572.tif 000008
【図７】
2004242572.tif 000009
【図８】
2004242572.tif 000010
【図９】
2004242572.tif 000011
【図１０】
2004242572.tif 000012
【図１１】
2004242572.tif 000013
【図１２】
2004242572.tif 000014
【図１３】
2004242572.tif 000015
【図１４】
2004242572.tif 000016
【図１５】
2004242572.tif 000017
【図１６】
2004242572.tif 000018
【図１７】
2004242572.tif 000019